(57)【要約】      （修正有）【課題】３〜４人が腰掛けても十分な耐久性を維持できるとともに、折りたたむとコンパクトにして積み重ねや運搬・保管も容易な折りたたみ型ベンチを提供する。【解決手段】３〜４人が腰掛けられる幅と長さを成す座板２の裏面周部位に、長方形状を成す幕板３を取り付け、その幕板３の長手方向の左右短辺側の端から中央寄り部位に、長手方向の左右が対向するように基台６を取り付ける。対向する二枚の基台６を長尺の補強棒７で連結し、ヒンジ８を持って二つで一組とする脚体４を座板２の裏面側に折りたためるように可倒連結し、かつ脚体４の内側に設けた保持基部１０と座板２裏面の軸基部１１をガススプリング棒５で可動連結する。補強棒７に沿わせて設けた基板に支持ロック板１４をヒンジ８連結して成る脚体４の外側の幕板３角部に支持棒を９取り付ける。【選択図】図４
0003159567.tif 000002
【実用新案登録請求の範囲】
【請求項１】
折りたたみできるベンチであって、３〜４人が腰掛けられる幅と長さを成す座板の裏面周部位に、所定の幅と長さで長方形状を成す幕板を取り付け、その幕板の長手方向の左右短辺側の端から所定の長さ中央寄り部位に、長手方向の左右が対向するように二枚で一組とする基台を取り付け、その対向する二枚の基台を長尺の補強棒で連結して成る前記基台に、ヒンジを持って二つで一組とする脚体を座板の裏面に折りたためるように可倒連結し、かつ前記脚体の内側に設けた保持基部と座板裏面の軸基部をガススプリング棒で可動連結するとともに、前記補強棒に沿わせて設けた基板に支持ロック板をヒンジ連結した前記脚体の外側に位置する幕板角部に、支持棒を取り付けて成る構成を特徴とする折りたたみ型ベンチ。
【請求項２】
前記する補強棒にロック装置を設け、そのロック装置の係合穴を脚体の縁に設けて成る請求項１に記載する折りたたみ型ベンチ。
【考案の詳細な説明】
【技術分野】
【０００１】  本考案は、３〜４人が腰掛けられる丈夫なベンチでありながら機能的に折りたため、かつ運搬や積み重ねも容易なベンチに関する。
【背景技術】
【０００２】  従来より、３〜４人が同時に腰掛けられる椅子としては、公園などに設置するベンチがあり、また大勢の人が集まる会場においても利用されている。【０００３】  また折りたたむことにより運搬を容易にし、収納スペースを取らないベンチの技術もある（例えば、特許文献１参照）【０００３】  さらに折りたたむことにより運搬を容易にし、かつ収納スペースを取らないベンチの技術もある（例えば、特許文献２参照）
【先行技術文献】
【特許文献１】特開平７−２４６１３２公報
【特許文献２】登録実用新案３０６２８０４号公報
【考案の概要】
【考案が解決しようとする課題】
【０００４】  従来から提供されるベンチは３〜４人が腰掛けるため、強度保持やコストの点において折りたたみタイプは少なく固定タイプがほとんどである。また固定タイプは脚部を折りたためないので移動しにくく積み重ねにくいなどの不便や欠点があった。【０００５】  また特開平７−２４６１３２公報に開示される折りたたみベンチは、直接に大きな体重が掛るシートの強度が保障され、かつ座り心地の良い折りたたみベンチとするものとして、並設した２本の長尺の支持枠材と、その支持枠材の両端に折りたたみ可能に取り付けたＸ字状脚セットと、前記並設した２本支持枠材を取り巻き管状に跨設した座用シートからなる折りたたみベンチである。【０００６】  しかし、このベンチは一対のＸ状脚セットを長尺の支持枠材で連結し、その支持枠材をシートを持って管状に張られた座用シートを構成するので、座り心地は特に悪くないが、３〜４人が腰掛けるとシートの中ほどが弛んだりするとともに、Ｘ状脚セットの交差部に加わる重量も大変大きくなるので耐久性の点において不安がある構成である。【０００７】  さらに登録実用新案３０６２８０４号公報に開示される折りたたみ式ベンチは、折りたたむ事によって運搬や収納を容易とするものであるが、その構成は座面が格子であって、その格子の間に各軸を中心に各脚が回転して収まるものであるが、座面が格子であるため座り心地は極めて悪く、さらに左右に位置する脚部は安定しない形を成すため、腰掛ける人数や位置によっては重量バランスを崩して転倒する恐れもある不便や欠点が多いベンチである。
【課題を解決するための手段】
【０００８】  本考案は前記するような従来のベンチが持つ不便や欠点を解消するために、請求項１においては、折りたたみできるベンチとして、３〜４人が腰掛けられる幅と長さを成す座板の裏面周部位に、所定の幅と長さで長方形状を成す幕板を取り付け、その幕板の長手方向の左右短辺側の端から所定の長さ中央寄り部位に、長手方向の左右が対向するように二枚で一組とする基台を取り付け、かつその対向する二枚の基台を長尺の補強棒で連結して成る前記基台に、ヒンジを持って二つで一組とする脚体を座板の裏面に折りたためるように可倒連結し、かつ前記脚体の内側に設けた保持基部と座板裏面の軸基部をガススプリング棒で可動連結するとともに、前記補強棒に沿わせて設けた基板に支持ロック板をヒンジ連結した前記脚体の外側に位置する幕板角部に支持棒を取り付けることで、左右の脚体の組み立てが容易であるとともに、安定した脚体を組み立てられ、かつ折りたたみも容易なベンチを構成する。【０００９】  請求項２においては、前記する補強棒にロック装置を設け、そのロック装置の係合穴を脚体の縁に設けることで、折りたたんだ脚体を確実にロックできるベンチとする。
【考案の効果】
【００１０】  本考案におけるベンチは、座板は平板状であるので座り心地良く腰掛けられるとともに、座板の裏面に備えた脚体は折りたたみ自在で、かつ支持ロック板とガススプリング棒の併用により極めて安定した構成を成すベンチを提供する。【００１１】  また脚体を組み立てる時はロック装置を解除してから脚体を引き上げると、ガススプリング棒のガス圧により自動的に立ち上がるとともに、支持ロック板により確実に垂直にしてスピーディに脚体を組み立てられる。【００１２】  さらに脚体を折りたたむ時は、支持ロック板を倒してから折りたたむと、脚体を倒すに連動してガススプリング棒は縮小して折りたたまれるとともに自動的にロック装置で固定するので、不用意にベンチを持ち上げても勝手に開く恐れも無いので安心して持ち運べるベンチを構成する。【００１３】  また完全に折りたたむと幕板の高さ程度に平たく折りたためるので、そのまま２段、３段と積み重ねることも可能であり、縦向きにして狭いスペースに収納することも簡単であり、台車に平積みすれば一度で数多く運べる従来には見られない機能的な折りたたみ型のベンチを提供できる。
【図面の簡単な説明】
【００１４】
【図１】本考案による折りたたみ型のベンチの実施形態を示す斜視図である。
【図２】本考案によるベンチを組み立てた状態を示す正面図である。
【図３】本考案によるベンチを折りたたんだ状態を示す正面図である。
【図４】本考案によるベンチの脚体を開いた状態を示す斜視図である
【図５】本考案によるベンチの脚体を組み立てて支持ロック板を立てた状態の要部を示す斜視図である。
【図６】ベンチの脚体を開いた状態のヒンジ部を示す拡大断面図である
【図７】ベンチの脚体を折りたたむ状態を示す裏面図である。
【図８】本考案によるベンチを折りたたんだ状態を示す裏面図である。
【考案を実施するための形態】
【００１５】  本考案の折りたたみ型ベンチの実施形態を、図１に示す斜視図と図２に示す正面図と図３に示す折りたたんだ状態を示す正面視図及び各詳細図で説明する。
【００１６】  本考案によるベンチ１の素材は杉木材とし、３人から４人がゆとりを持って座れるものとして、大きさは長さ約１，４５０ｍｍ×４００ｍｍで、厚さ約２０ｍｍ〜３０ｍｍ程度の座板２とし、その座板２裏面には、周縁から約１０ｍｍ〜２０ｍｍほど内側寄りに、幅６０ｍｍで厚さ１５ｍｍほどの幕板３を長方形状に取り付けて成る内側の左右短辺側に、二つで一組とする折りたたみ自在の脚体４とガススプリング棒５を設けるものとする。
【００１７】  以下、図４〜図７の詳細図を持って説明するが、座板２の裏面に形成する二つで一組とする脚部は左右全く同じであるので、一部図面については一方側のみを説明する。まず前記座板２裏面に設けた幕板３の内側長手方向の左右短辺側の端から約７０ｍｍ空けた部位に、高さ１５ｍｍで幅４０ｍｍ、長さ１００ｍｍで成る二枚を一組とする基台６，６を隣合う短辺側の幕板３に並行に取り付けるとともに、その長手方向左右に設けて向き合う各二枚の基台６，６を連結するように約幅２０×高さ１５ｍｍ×長さ１１５０ｍｍで成る長尺の補強棒７，７二本を一定の間隔を設けて座板２の裏面に取り付ける。
【００１８】  さらに前記する二枚で一組とする基台６，６には、高さ３５０ｍｍ×横３５０ｍｍで厚さ４０ｍｍで成る二つで一組とする脚体４，４を、ヒンジ８を持って座板２裏面側に折りたためるように可倒連結するとともに、前記脚体４の外側の幕板３の角部には、脚体４を引き起こした時の支持部材として、高さ５６ｍｍ×縦横３０ｍｍの角材で成る支持棒９を図６及び図７に示すように取り付けて脚体４が幕板３側に倒れるのを防ぐようにする。
【００１９】  次に、前記する脚体４の内側面下部の左右いずれか寄りには、ガススプリング棒５の保持基部１０を取り付け、その対向部材となる軸基部１１は、前記座板２裏面に取り付けた二本の補強棒７，７の間の中ほどより少し延長する部位に軸基部１１を設けた後、その軸基部１１にガススプリング棒５の根元を可動軸止し、伸縮する先端側は前記する脚体４の保持基部１０に可動軸止することで、脚体４を倒すか引き起こすに連動して伸縮して脚体４を保持できるようにする。尚、前記する脚体４に取り付けた保持基部１０の位置は、対向側の脚体４のガススプリング棒５と交差するように互いにズラし、かつ前記補強棒７，７寄りに取り付ける。
【００２０】  加えて、前記する脚体４の内側寄りには、前記補強棒７に沿わせて基板１２を取り付け、その基板１２に、指掛け凹部１３付き支持ロック板１４をヒンジ８連結で可倒自在に取り付ける。さらに前記補強棒７には、脚体４を倒した際のロック装置１５とする解除ボタン付きプッシュラッチ１６を取り付けるとともに、そのプッシュラッチ１６のツメが嵌る係合穴１７を前記脚体４の端縁に設け、かつ前記脚体４の外側下部には、前記支持棒９の当接部にゴム板１８を貼り付けて成る二つで一組とする脚体４，４を、座板２裏面の幕板３の長手方向左右に取り付けて成る折りたたみ型のベンチ１を構成する。
【００２１】  本考案によるベンチ１は以上のような構成であるので、脚体４を組み立てる時は、幕板３内に折りたたまれている二枚の脚体４，４の縁部に位置するプッシュラッチ１６を解除した上で引き起こすと、脚体４に取り付けられて連動するガススプリング棒５のガス圧により自動的に引き起こされて脚体４を垂直に立ち上げる。その上で支持ロック板１３の指掛け凹部１２に指を掛けて引き起こすと図５のように垂直に引き起こすと、脚体４の外面は幕板３の角部に位置する支持棒９で支えられ、内側面は前記する支持ロック板１３とガススプリング棒５とで確実に安定した状態で二つの脚体４，４で保持する。さらに折りたたむ時は前記支持ロック板１３を水平に倒して後、脚体４を倒すに連動してガススプリング棒５も縮小して折りたたまれるとともに、プッシュラッチ１６のツメは前記脚体４の縁に設けた係合穴１７に嵌ることで、図８に示すように脚体４は完全にロックされるため、不用意に持ち上げたり倒しても脚体４は開くこともなく、図３に示すように薄く折りたためるベンチ１を構成する。
【００２２】  本考案におけるガススプリング棒５が伸びると座板２の中央部より長いため、対向するガススプリング捧５は互いにズラして取り付けているが、これより短いタイプでの場合は直線状に取り付けても差し支えない。さらに脚体４のロック装置１５は補強棒７に取り付けているが、他の部位に取り付けても構わないものである。また図示する寸法は基本とするものであるが、大きさが変わっても差し支えないものであり、いずれも特に限定されるものではない。
【符号の説明】
【００２３】１  ベンチ
２  座板
３  幕板
４  脚体
５  ガススプリング棒
６  基台
７  補強棒
８  ヒンジ
９  支持棒
１０  保持基部
１１  軸基部
１２  基板
１３  指掛け凹部
１４  支持ロック板
１５  ロック装置
１６  プッシュラッチ
１７  係合穴
１８  ゴム板
【図１】
0003159567.tif 000003
【図２】
0003159567.tif 000004
【図３】
0003159567.tif 000005
【図４】
0003159567.tif 000006
【図５】
0003159567.tif 000007
【図６】
0003159567.tif 000008
【図７】
0003159567.tif 000009
【図８】
0003159567.tif 000010